(57)【要約】【課題】  構造が簡単で、コンクリートブロックの製造時の作業性を高めると共に耐久性を向上することができる。さらに、耐久性の向上に伴い、廃棄処理の回数を従来に比べて大幅に減らすことができ、延いてはコスト低減を図ることができる。【解決手段】  冶具２０の当接部２３をリブ１３にそれぞれ当接させた上で、冶具２０の起端部２１をハンマーＨで軽く叩く。これにより、発生した衝撃は、起端部２１→脚部２２→当接部２３→メーク１４→リブ１３→型本体１１と伝達され、略同時に型本体１１外周に均一に伝わる。この衝撃により、コンクリートブロック１１０の支持孔１１１に対する型本体１１（抜型１０）の固着が解除される。抜型１０をコンクリートブロック１１０から簡単に抜き取ることができる。【選択図】      図８
2006051628.tif 000002
【特許請求の範囲】
【請求項１】
貫通孔、有底穴或いは溝を有するコンクリートブロックを形成するのに用いられる抜型であって、
当該抜型の外形をなす型本体と、
前記コンクリートブロックの製造時に前記型本体が当該コンクリートブロックを形成するためのコンクリートに接触しない面の所定位置に配置され、外部から加わる衝撃を前記型本体に伝達する複数個のリブと、
を備えたことを特徴とする抜型。
【請求項２】
請求項１記載の抜型において、
前記リブは、前記接触しない面に略直交して延びる軸に平行に延び、前記型本体に埋設された柱状体である
ことを特徴とする抜型。
【請求項３】
請求項１記載の抜型において、
前記リブは、前記接触しない面に略直交して延びる軸に平行に延び、前記型本体を貫通する柱状体である
ことを特徴とする抜型。
【請求項４】
請求項１記載の抜型において、
前記リブは、前記接触しない面の所定位置に貼着した円板である
ことを特徴とする抜型。
【請求項５】
請求項１記載の抜型において、
前記型本体は、熱硬化性樹脂によって形成される
ことを特徴とする抜型。
【請求項６】
請求項２または３のいずれかに記載の抜型において、
前記リブは木製である
ことを特徴とする抜型。
【請求項７】
請求項１記載の抜型において、
前記型本体には、前記コンクリートブロックの外形を形成するための型枠に、当該型本体を調整代を有して固定させる固定部を備える
ことを特徴とする抜型。
【請求項８】
請求項１に記載の抜型に用いられる冶具であって、
先端が前記接触しない面の所定位置まで延び、起端が一点で交わる複数の脚部を備えた形状となり、
前記起端に外部から衝撃を与えることにより、この衝撃を各先端からリブを介して型本体に伝達する
ことを特徴とする冶具。
【請求項９】
請求項８に記載の冶具において、
当該抜型用冶具は木製である
ことを特徴とする冶具。
【発明の詳細な説明】
【技術分野】
【０００１】
この発明は、貫通孔、有底穴或いは溝を有するコンクリートブロックを形成するために用いて好適な抜型およびこの抜型に用いられる冶具に関する。
【背景技術】
【０００２】
一般に、人々の暮らしに欠かせない電気、ガス、水道、電話等のライフラインは、地中に埋められた配管を介して各家屋に届けられる。この配管を地中に固定するのにコンクリートブロック等が用いられている。このコンクリートブロックには、円筒管、Ｕ字溝等の配管が挿入或いは係合される貫通孔、有底穴或いは溝が形成されている。配管は、地中に埋設されたコンクリートブロックの貫通孔等に挿入されることにより、地中に固定されることになる。
【０００３】
ここで、コンクリートブロックの具体的な形状は、図１２に示すように、Ｕ字溝１０２を支持する支持溝１０１が形成されたコンクリートブロック１００と、図１３に示すように、円筒管１１２を支持する支持孔１１１が形成されたコンクリートブロック１１０等がある。このコンクリートブロックの製造方法は、型枠形成工程→コンクリート打設（充填）工程→型外し工程等からなる。
なお、コンクリートブロック１００は、支持溝１０１にＵ字溝１０２を掛合させて支持するものであるが、コンクリートブロック１１０のように四角形の支持孔を形成して、この支持孔にＵ字溝１０２を掛合させて支持してもよい。
【０００４】
まず、型枠形成工程では、５枚のパレット板の端部をそれぞれ直交するように組み立てて有底筒状の直方体をなす型枠を形成する。この５枚のパレット板がブロックの５面に対応する。そして、円柱状或いは角柱状の抜型を底板の所定位置に固定して型を形成する。
【０００５】
次に、コンクリート打設（充填）工程では、この型枠内に硬化前のコンクリートを流し込む。
型外し工程は、コンクリートが乾燥して硬化した後に、抜型および板体を外すことによりコンクリートブロックを形成する。
【０００６】
前述した円筒管、Ｕ字溝等の寸法は規格で決まっている。このため、これらの外形を有する孔或いは溝をコンクリートブロックに形成するための抜型の形状は、この規格に応じて決まる。そこで、コンクリートブロックを製造する工場等では、予め規格に対応した抜型を揃えておく必要がある。
【０００７】
一方、抜型の材料には、スチール（鋼鉄或いは鋼）、発泡スチロール等がある。スチール製の抜型は、繰り返して使用しても破損もなく寿命が長いという利点がある反面、重量があるため抜型の搬送、パレット板への固定作業等に時間が掛かり、さらに錆が発生した場合には錆落としを行わなくてはならず、作業効率を悪いという欠点がある。
【０００８】
これに対し、発泡スチロール製の抜型は、軽量であるため作業効率が良いという利点があるものの、素材が脆弱であるため、再利用できる回数が２・３回と少ない。さらに、発泡スチロールは、環境汚染を引き起こす産業廃棄物の昨今の問題を受け、廃棄処分するのに高い費用が掛かる。このため、利用回数の少ない発泡スチロール製の抜型は、廃棄処分に経費が嵩んでしまうという欠点がある。
【０００９】
また、コンクリートブロック製造時に抜型を簡単に抜く方法として、特許文献１のような抜型がある。この抜型は、抜型の外形をなす有孔管の外側にゴムチューブを具備している。コンクリートブロックの製造手順は、抜型を型枠内に固定した後、コンクリートを打設する。次に、有孔管の中に空気を圧送してゴムチューブを膨張させ、コンクリートが硬化した後、空気を排出してゴムチューブを萎れさせて、硬化したコンクリートから有孔管及びゴムチューブを抜き出す。これにより、抜型を硬化したコンクリートから容易に抜き取ることができる。
【００１０】
ところが、前述した特許文献１に記載の抜型では、構造が複雑になるばかりか、空気を圧送する空気ポンプ等の外部装置も必要となり、コスト高になっている。
【００１１】
一方、先に述べたスチール（鋼鉄或いは鋼）或いは発泡スチロール等を材料とする抜型では、一長一短があり、決してコンクリートブロックの製造に適した抜型であるとは言えないものであった。
【特許文献１】特開平９−１９６２４５号公報
【発明の開示】
【発明が解決しようとする課題】
【００１２】
本発明は、上記問題に鑑みてなされたもので、コンクリートブロックの製造時の作業性を高め、耐久性が高く、かつ構造が簡単な抜型およびこの抜型に用いられる冶具を提供することを目的とする。
【課題を解決するための手段】
【００１３】
前述した課題を解決するために、本発明が提供する抜型は、貫通孔、有底穴或いは溝を有するコンクリートブロックを形成するのに用いられる抜型であって、当該抜型の外形をなす型本体と、前記コンクリートブロックの製造時に前記型本体が当該コンクリートブロックを形成するためのコンクリートに接触しない面の所定位置に配置され、外部から加わる衝撃を前記型本体に伝達する複数個のリブとを備えたことを特徴とする。
上記構成において、前記リブは、前記接触しない面に略直交して延びる軸に平行に延び、前記型本体に埋設された柱状体であることが好ましい。
上記構成において、前記リブは、前記接触しない面に略直交して延びる軸に平行に延び、前記型本体を貫通する柱状体であることが好ましい。
上記構成において、前記リブは、前記接触しない面の所定位置に貼着した円板であることが好ましい。
上記構成において、前記型本体は、熱硬化性樹脂によって形成されることが好ましい。
上記構成において、前記リブは木製であることが好ましい。
上記構成において、前記型本体には、前記コンクリートブロックの外形を形成するための型枠に、当該型本体を調整代を有して固定させる固定部を備えることが好ましい。
【００１４】
前記抜型に用いられる冶具であって、先端が前記接触しない面の所定位置まで延び、起端が一点で交わる複数の脚部を備えた形状となり、前記起端に外部から衝撃を与えることにより、この衝撃を各先端からリブを介して型本体に伝達することを特徴とする。
上記構成において、当該抜型用冶具は木製であることが好ましい。
【発明の効果】
【００１５】
本発明による抜型は、構造が簡単で、コンクリートブロックの製造時の作業性を高めると共に耐久性を向上することができる。さらに、耐久性の向上に伴い、廃棄処理の回数を従来に比べて大幅に減らすことができ、延いてはコスト低減を図ることができる。
【発明を実施するための最良の形態】
【００１６】
以下、本発明における実施形態について図面を参照して説明する。
＜実施形態＞
本発明の実施形態に係る抜型１０について、図１乃至図１１を参照しつつ説明する。
【００１７】
（１）抜型の構造
図１は本実施形態による抜型１０および冶具２０を示す斜視図、図２（図３、図４）は図１中の矢視II−II方向から見た縦断面図である。
はじめに、抜型１０は、型本体１１、固定孔１２、リブ１３およびマーク１４を有しており、この抜型１０はコンクリートブロック１１０の支持孔１１１を形成するのに用いられる。
【００１８】
型本体１１は、当該抜型１０の外形をなすもので、例えば熱硬化性樹脂により円柱状に形成されている。ここで、熱硬化性樹脂とは、熱を加えると重合度が高まり、熱硬化性をもつ合成樹脂のことで、例えば、フェノール樹脂、尿素樹脂、ケイ素樹脂など、網状に結合することのできる高分子化合物を指す。特に、コンクリートの養成温度は高いときで５０〜６０℃位になるので、耐熱性にも優れた熱硬化性樹脂が最良である。
【００１９】
固定孔１２は、型本体１１の径方向にスリット状に穿設された孔であり、コンクリートブロック１１０の製造時に型枠３０に抜型１０を固定するのに用いられる孔である。固定孔１２をスリット状に形成することにより、抜型１０を型枠３０の固定板３１に固定する際の調整代を持たせている。
【００２０】
リブ１３は、コンクリートブロック１１０の製造時に型本体１１が当該コンクリートブロック１１０を形成するためのコンクリートに接触しない面に位置し、この面の略中心から所定距離を離間した位置の４点に埋設されている。このリブ１３は、図２に示すように、接触しない面に略直交する軸に平行に延びる例えば木製の柱からなり、先端部が露出しないように型本体１１内に埋もれている。
マーク１４は、型本体１１内に埋設されたリブ１３の位置を識別させるために、ゴム板を貼着して形成されたものである。冶具２０の当接部２３が型本体１１に直接当たるのを防止して、当該型本体１１の損傷を防止するためのものである。
各リブ１３は、冶具２０から加えられる衝撃を型本体の外側に伝達するもので、この衝撃により、コンクリートブロック１１０の支持孔１１１に対する型本体１１の固着を解除させる。
【００２１】
なお、抜型１０の構造は図２に示す構造のものに限らず、図３に示す抜型１０Ａのように、例えば木製の柱として枠本体１１Ａを貫通するようにしてリブ１３Ａを設けてもよい。また、図４に示す抜型１０Ｂのように、木製の円板状のリブ１３Ｂを型本体１１Ｂの所定位置上に貼着するようにしてもよい。このリブ１３Ｂは、冶具２０の当接部２３が型本体１１に直接当たるのを防止して、当該型本体１１の損傷を防止するためのものである。
【００２２】
（２）冶具の構造
次に、冶具２０は、図１に示すように、大略十字状に形成されており、中心が起端部２１となりほぼ直交する方向に伸びる脚部２２と、脚部２２の先端に位置してリブ１３に当接する当接部２３とを具備した構成となっている。この冶具２０の断面は、図８に示すように、起端部１２が脚部２２から一側に突出し、当接部２３が脚部２２から他側に突出するような構造となっている。また、この冶具２０は、木製で構成されていて、軽量化が図られている。
この冶具２０は、各当接部２３をリブ１３にそれぞれ当接させた上で、起端部２１にハンマーＨ等で衝撃を加えることにより、この衝撃を各マーク１４を介してリブ１３に略同時に伝達させる。
【００２３】
（３）コンクリートブロック１１０の製造方法
次に、図５〜図８を参照しつつコンクリートブロック１１０の製造工程について説明する。この製造方法では、従来技術の製造方法と同様に、型枠形成工程→コンクリート打設工程→型外し工程となる。
【００２４】
（ａ）型枠形成工程
まず、型枠形成工程では、図５に示すように、底板３１と４枚の側板３２、合計５枚の板体の端部をそれぞれ直交するように組み立てて有底筒状の直方体をなす型枠３０を形成する。この５枚の底板３１と側板３２がコンクリートブロック１１０の５面に対応する。
【００２５】
一方、円柱状の抜型１０は底板３１の所定位置に固定される。具体的には、図６に示すように、底板３１に植設されたボルト３１Ａに対して、抜型１０の固定孔１２を挿通させ、ボルト３１Ａに対してスリット状の固定孔１２をスライドさせることにより、抜型１０を矢示ａ方向にスライドさせて型枠３０の所望位置へと調整する。その後、ワッシャ３１Ｂ、ナット３１Ｃをボルト３１Ａに螺着して、底板３１とワッシャ３１Ｂとの間に抜型１０が挟み込まれる。これにより、抜型１０が型枠３０の所望位置に固定される。なお、固定孔１２の長さ寸法が、型枠３０に対する抜型１０の調整代となる。
【００２６】
（ｂ）打設工程
次に、コンクリート打設工程では、この型枠３０内に硬化前のコンクリートを流し込む。
【００２７】
（ｃ）型外し工程
型外し工程は、コンクリートが乾燥して硬化した後に（図７、参照）、抜型１０および型枠３０を外すことによりコンクリートブロック１１０を形成する。
型本体１１外周とコンクリートブロック１１０との間は、乾燥硬化したコンクリートの影響により強固に固着されることになる。そこで、本実施形態では、図８に示すように、冶具２０を用いて、抜型１０をコンクリートブロック１１０から取り外す。
【００２８】
より具体的には、抜型１０をコンクリートブロック１１０から抜き取る作業では、冶具２０の当接部２３をマーク１４にそれぞれ当接させた上で、冶具２０の起端部２１をハンマーＨで軽く叩く。これにより、発生した衝撃は、起端部２１→脚部２２→当接部２３→マーク１４→リブ１３→型本体１１と伝達され、略同時に型本体１１外周に均一に伝わる。この衝撃により、コンクリートブロック１１０の支持孔１１１に対する型本体１１（抜型１０）の固着が解除される。
このように、本実施形態による抜型１０および冶具２０を用いることにより、簡単にコンクリートブロック１１０から抜型１０を抜き取ることができる。
【００２９】
（４）実施形態の効果
本実施形態による抜型１０および冶具２０では、型外し工程において、冶具２０の起端部２１をハンマーＨで軽く叩くことにより、衝撃がほぼ同時に型本体１１外周に均一に伝わって固着を解除し、抜型１０をコンクリートブロック１１０から簡単に抜くことができる。
【００３０】
しかも、抜型１０は熱硬化性樹脂と木製で形成され、冶具２０は木製で形成されているため、軽量化が図られているため、スチール製の抜型に比べて作業が楽になり、作業性を格段向上させることができる。
【００３１】
さらに、抜型１０の外形をなす型本体１１を熱硬化性樹脂で形成しているため、発泡スチロール製の抜型に比べて、耐久性を大幅に延ばすことができる。例えば、発泡スチロール製の抜型がコンクリートブロックの製造に２〜３回しか使用できなかったのに対し、本実施形態による抜型１０は、実験段階であっても２０回以上の使用が可能となっている。これにより、本実施形態による抜型１０を使用した場合には、発泡スチロール製の抜型を使用した場合に比べて、廃棄処分に係る経費を大幅に削減でき、コスト低減を図ることができる。
【００３２】
（５）変形例
なお、前記実施形態では、抜型の外形が円柱状の場合を例に挙げて述べたが、図９の抜型４０に示す四角柱であっても良い。この抜型４０は、型本体４１、固定孔４２およびリブ４３を有しており、この抜型４０はコンクリートブロック１００の支持溝１０１を形成するのに用いられるものである。
また、図１０に示す平面図のように、台付管用の抜型５０のような形状でもよい。この抜型５０は、型本体５１、固定孔５２およびリブ５３を有している。
さらに、前記実施形態では、型本体の形状を上面と下面とを同じ形状としたが、本発明はこれに限らず、図１１に示す抜型１０´のように、側面に上面から下面に向かうに従って収縮するテーパを形成してもよい。このテーパを設けることにより、型外し工程において、コンクリートブロックから抜型１０´を抜き易くでき、作業性をより向上させることができる。しかも、製造されたコンクリートブロックの貫通孔、有底穴或いは溝もテーパとなっているため、配管等の挿入を広い側から狭い側に向けて行うことにより、挿入作業を容易に行うことが可能となる。
【００３３】
前記実施形態では、リブ１３は抜型１０の外周側に４個のリブ１３を設ける構造としたが、本発明はこれに限らず、２，３，５，…の複数個であってもよい。これに伴い、冶具２０の脚部２２の数もリブの数に合わせればよい。
【００３４】
底板３１に対する抜型１０の固定方法は、スリット状の固定孔１２とボルト・ナットによる固定構造に限らず、調整代を持たせて固定できる構成であればよい。例えば、抜型１０にボルトを植設し、型枠にこのボルトが挿通するスリット状の溝を有する梁を設け、ボルト１０を梁に固定することによって型枠に抜型を固定するようにしてもよい。
さらに、スリット状の固定孔を直交する十字状に形成することにより、抜型１０の調整代を広げることも可能となる。
【図面の簡単な説明】
【００３５】
【図１】本発明の実施形態にかかる円柱状の抜型および冶具示す斜視図である。
【図２】図１中の矢示II−II方向から見た抜型の縦断面図である。
【図３】図１中の矢示II−II方向から見た図２とは別構造の抜型の縦断面図である。
【図４】図１中の矢示II−II方向から見た図２とは異なった構造の抜型の縦断面図である。
【図５】型枠形成行程にて形成された型枠を示す図である。
【図６】抜型を型枠に固定する際の要部を示す図である。
【図７】打設工程にて形成されたコンクリートブロックと型枠とを示す図である。
【図８】冶具を用いてコンクリートブロックに対する抜型の固着を解除する状態を示す図である。
【図９】変形例による直方体状の抜型および冶具を示す斜視図である。
【図１０】変形例による台付管用の抜型を示す平面図である。
【図１１】変形例による側面がテーパとなった抜型を示す斜視図である。
【図１２】従来技術によるＵ字溝を支持するコンクリートブロックを示す図である。
【図１３】従来技術による円筒管を支持するコンクリートブロックを示す図である。
【符号の説明】
【００３６】
１０，１０´，１０Ａ，１０Ｂ，４０，５０…抜型、
１１，１１´，１１Ａ，１１Ｂ，４１，５１…型本体、
１２，１２´，１２Ａ，１２Ｂ，４２，５２…固定孔、
１３，１３Ａ，１３Ｂ，４３，５３…リブ、
１４，１４´…マーク、
２０…冶具、
２１…起端部、
２２…脚部、
２３…当接部、
３０…型枠、
３１…底板、
３２…側板、
１００，１１０…コンクリートブロック、
１０１…支持溝、
１１１…支持孔。
【図１】
2006051628.tif 000003
【図２】
2006051628.tif 000004
【図３】
2006051628.tif 000005
【図４】
2006051628.tif 000006
【図５】
2006051628.tif 000007
【図６】
2006051628.tif 000008
【図７】
2006051628.tif 000009
【図８】
2006051628.tif 000010
【図９】
2006051628.tif 000011
【図１０】
2006051628.tif 000012
【図１１】
2006051628.tif 000013
【図１２】
2006051628.tif 000014
【図１３】
2006051628.tif 000015